(57)【要約】【課題】  漏水等の修理を可能にした浮揚式建物を提供する。【解決手段】  本発明は、浮力を発生させるための浮力体２０と、前記浮力体２０の浮力により支持される建物３０と、支持部材４０を有し、前記支持部材４０に流体を注入した際に、前記支持部材４０が前記建物３０の荷重を支持することを特徴とする浮揚式建物１とした。【選択図】  図１
2018087428.tif 000002
【特許請求の範囲】
【請求項１】
浮力を発生させるための浮力体と、
前記浮力体の浮力により支持される建物と、
支持部材を有し、
前記支持部材に流体を注入した際に、前記支持部材が前記建物の荷重を支持することを特徴とする浮揚式建物。
【請求項２】
流体非注入時には、前記支持部材は、前記建物の荷重を支持しないことを特徴とする請求項１に記載の浮揚式建物。
【請求項３】
前記支持部材が、流体注入により伸張して水底に当接することで前記建物を支持する支持力が発生することを特徴とする請求項請求項１又は２に記載の浮揚式建物。
【請求項４】
前記伸張部材の下方に錘が取り付けられていることを特徴とする請求項１〜３のいずれか一項に記載の浮揚式建物。
【請求項５】
前記プールの外周及び底面が、遮水シートと保護シートを積層した積層シートで形成されていることを特徴とする請求項１〜４のいずれか１項に記載の浮揚式建物。
【請求項６】
前記浮力体の外側に消波構造体を配置したことを特徴とする請求項１〜５のいずれか１項に記載の浮揚式建物。
【発明の詳細な説明】
【技術分野】
【０００１】
本発明は、浮揚式建物、特に水上に浮揚する建物に関する。
【背景技術】
【０００２】
特許文献１は、浮揚式建物を開示する。建物がプールに浮かんでいるため、地震による被害から建物を守ることができる。プールの水は、緊急時の生活用水等として利用できる。
【先行技術文献】
【特許文献】
【０００３】
【特許文献１】特開平９−１５１６２３号公報
【発明の概要】
【発明が解決しようとする課題】
【０００４】
特許文献１では、プールの漏水対策が何ら考慮されていない。漏水が生じると水位と共に建物が沈下するので住居等として使用できない。プールをコンクリートで固めたとしても、水圧が大きいのでわずかなひび割れでも大きく漏水する。漏水を修理するにはプールの水抜きが必要であるが、水抜きすると建物が着底するので、建物の下は、漏水箇所の検査や修理ができない。着底時の下降で建物に損害が生じることも考えられる。
【０００５】
本発明は、漏水等の検査・修理が可能な浮揚式建物を提供する。一態様では、漏水等を生じにくい浮揚式建物も提供する。更なる態様では、地震時等の波消しができる浮揚式建物も提供する。
【課題を解決するための手段】
【０００６】
本発明は、浮力を発生させるための浮力体と、前記浮力体の浮力により支持される建物と、支持部材を有し、前記支持部材に流体を注入した際に、前記支持部材が前記建物の荷重を支持することを特徴とする浮揚式建物とした。
【発明の効果】
【０００７】
本発明は、支持部材に流体を注入した際に支持部材が前記建物の荷重を支持するため、建物を下降させずに（又は大きく下降させずに）水抜きができる。よって、建物の下を含めて修理個所の検査や修理が可能である。
【図面の簡単な説明】
【０００８】
【図１】本発明の１実施形態に係る浮揚式建物１を示す。
【図２】積層シート１４の構造を示す。
【図３】修理に際しての浮揚式建物１の用法を示す。
【図４】変形形態の支持部材５０を示す。
【発明を実施するための形態】
【０００９】
図１は、本発明の１実施形態に係る浮揚式建物１を示す。浮揚式建物１は、プール１０と、プール１０に浮揚する浮力体２０と、浮力体２０の上に建てた建物３０を有する。プール１０は、地面に設けた穴１１の底に砕石層１２と捨てコンクリート１３を敷き、穴１１の外周及びコンクリート１３の上面に積層シート１４が張られている。
【００１０】
図２は、積層シート１４の構造を示す。積層シート１４は、交互に積層された複数の遮水シート１４ａ及び保護シート１４ｂを有する。遮水シート１４ａは、水を通さないシートであり、例えば、ポリエチレン等の合成樹脂やゴム等で形成できる。保護シート１４ｂは、鋭利な石、ガラス、金属等を通さない耐穿刺性のあるシートであり、例えば、不織布やウレタン等で形成できる。積層シート１４の最外層は、遮水シート１４ａにするのがよい。好ましくは、３層の遮水シート１４ａ及び２層の保護シート１４ｂを積層する。
【００１１】
プール１０の外周には、消波構造体１５を配置するとよい。消波構造体１５は、セメント、コンクリート等で形成できる。消波構造体１５は、隙間の多い構造体とするとよい。図示のように、円錐形ブロックを交互に向きを変えて上下に複数積層した構造としてもよく、テトラポッドを使用してもよい。図示のように、消波構造体１５の上まで積層シート１４で覆うとよい。プール１０の底に、水抜きのための栓を設けるとよい。
【００１２】
浮力体２０は、浮力を発生させる部材であり、例えば、中空金属箱や軽量木材等で形成できる。浮力体２０は、建物３０全体の重量を支持する浮力を発生させる。
【００１３】
建物３０は、建物基礎３１と建物本体３２を有する。建物３０とプール１０の側壁（又は消波構造体１５）の間には、クッション材１６を配置するとよい。クッション材１６は、ゴム材や古タイヤ等を使用できる。人がプール１０に落ちないように、建物３０とプール１０の側壁の間に板１７を渡すとよい。図示のように、板１７の外端を折り曲げて積層シート１４と穴１１の側壁の間に埋め込むとよい。
【００１４】
浮力体２０には、流体を注入したときに建物３０の荷重を支持する支持部材４０が取り付けられている。支持部材４０は、種々の構造が考えられるが、本実施形態の支持部材４０は、伸張部材４１と、錘４２と、流体注入口４３を有する。
【００１５】
錘４２は、浮力体２０を概略垂直方向の姿勢（浮力体２０の長さ方向が図１のＺ方向に概略一致する姿勢）に保つ役割を果たす。図１では、錘４２がプール１０の水底１０ａに接触しているが、接触していなくてもよい（錘４２が水中に浮遊していてもよい）。
【００１６】
伸張部材４１は、流体注入口４３から流体（例えば、空気や水）を注入したときに伸張する部材である。伸張部材４１は、プラスチックや硬質ゴム等の蛇腹管で形成できる。伸張部材４１は、平時は、錘４２により下方に引っ張られた状態である。
【００１７】
浮揚式建物１では、浮力体２０の浮力で建物３０が水上に浮かんでいるので、地震による被害から建物３０を守ることができる。平時は、支持部材４０による支持力（Ｚ方向上方への力）は建物３０に全く又は殆ど作用しない。そのため、地震動が支持部材４０経由で建物３０に伝達しない（又は殆ど伝達しない）。建物３０とプール１０の周壁の間に消波構造体１５を設置したので、地震による波の発生及びそれによる建物３０の揺れを抑制できる。
【００１８】
浮揚式建物１では、プール１０の側面及び底面が積層シート１４であるため、地震等によるひび割れ、破れ・裂け目・水漏れ等を生じにくい。それでも、長期使用の間の破れ・水漏れは完全には否定できないので、修理や検査が必要になる。図３は、検査及び／又は修理の際の浮揚式建物１の用法を示す。
【００１９】
まず、流体注入口４３から流体を注入することで、伸張部材４１を伸張させる。伸張部材４１が伸張する力により、支持部材４０（錘４２）が水底１０ａに押し付けられ、その反力で建物３０に対してＺ方向の支持力が発生する。支持力が建物３０の重量と概略釣り合うまで流体を注入したところで、プール１０の水抜きをする。これにより、図３のように、建物３０を支持部材４０だけで支持した状態となり、破れ・裂け目・水漏れ等の検査やその修理を行うことができる。水抜きの際に建物３０が大きく下降しないので、建物への損害を防止できる。建物３０の下降を確実に防ぐように、水抜きの際の建物３０のＺ方向位置に応じて流体の注入圧力を制御するとよい。制御には、コンピュータ等の制御手段を使用するとよい。
【００２０】
破れ等の検査に際しては、数センチ程度水を溜めた状態で着色剤を流すと見つけ易い。図３では、伸張部材４１に流体が流入した様子を示すために伸張部材４１を太く示しているが、Ｚ方向に伸張する力が発生すれば良いのであり、伸張部材４１の太さが変わることは必須ではない。図には、支持部材４０を２つだけ示すが、支持部材４０の個数、配置は任意である。
【００２１】
図４は、変形形態の支持部材５０を示す。支持部材５０は、建物基礎３１に固定された内筒５１と、内筒５１に対してスライド可能な有底の外筒５２と、内筒５１に収容された袋体５３と、袋体５３に連絡した流体注入口５４を有する。袋体５３の上端付近は、金属ワイヤー等の連結部材５１ａを介して内筒５１の上端付近と連結されている。袋体５３は、伸縮性のあるゴムチューブ等で形成できる。袋体５３は、好ましくは、蛇腹状の形状を有する。
【００２２】
破れ等の検査及び／又は修理に際しては、流体注入口５３ａから流体を注入することで袋体５３を膨張させる。これにより、図４（ｂ）に示すように、袋体５３が膨張して外筒５２が内筒５１に対して下降し、その結果、支持部材５０が伸張して水底１０ａに当接し、建物３０に対する支持力が発生する。
【００２３】
上記実施形態では、積層シート１４を用いたプール１０の場合を示したが、コンクリート等のプール１０でもよい。その他、上記実施形態に記載した構成要素やその寸法、形状、配置、個数、材料等の事項であって特許請求の範囲に記載されない事項は、単なる例示であり、特許請求の範囲を限定するものではない。
【産業上の利用可能性】
【００２４】
本発明は、浮揚式建物に利用できる。建物は、住宅、マンション、オフィスビル等、種類を問わない。
【符号の説明】
【００２５】
１・・・浮揚式建物
１０・・・プール
１１・・・穴
１２・・・砕石層
１３・・・捨てコンクリート
１４・・・積層シート
１４ａ・・・遮水シート
１４ｂ・・・保護シート
１５・・・消波構造体
１６・・・クッション材
１７・・・板
２０・・・浮力体
３０・・・建物
３１・・・建物基礎
３２・・・建物本体
４０・・・支持部材
４１・・・伸張部材
４２・・・錘
４３・・・流体注入口
【図１】
2018087428.tif 000003
【図２】
2018087428.tif 000004
【図３】
2018087428.tif 000005
【図４】
2018087428.tif 000006